(57)【要約】【課題】接極子がカードを略水平に押すことができて、可動端子の可動接点と固定端子の固定接点とを略全面で接触させることができる電磁リレーを得る。【解決手段】カード３をベース２に対して回動自在でかつ水平方向に前後移動可能に支承するとともに、カード３の第１の枝部３ｄの先端の接極子２２と接触する当接面３ｉに対し、接極子２２から離間する方向に面取りした。これにより、接極子２２が略水平にカード３を押すことができ、可動端子２４の可動接点２４ａと固定端子２５の固定接点２５ｂを略全面で接触させることができる。【選択図】図１
2012074136.tif 000002
【特許請求の範囲】
【請求項１】
絶縁性部材で形成されたベースに立設され、可動接点を有する可動端子と、
固定接点を有し、該固定接点が前記可動端子の可動接点と対向させて前記ベースに立設された固定端子と、
前記可動端子から離間し、前記ベースに立設された電磁石部と、
前記電磁石部の先端に支点を有し、前記電磁石部に通電することで回動する接極子と、
前記可動端子と前記接極子との間に位置し、前記ベースにて前記接極子及び前記可動端子の方向に回動自在に支承され、前記接極子と接触する第１の圧接点を有するとともに、前記第１の圧接点から離間した位置で前記可動端子と接触する第２の圧接点を有するカードと、を具備する電磁リレーであって、
前記カードと前記接極子の当接面のうち少なくとも一方が、他方から離間する方向に傾斜した傾斜面を有する電磁リレー。
【請求項２】
請求項１に記載の電磁リレーであって、前記傾斜面は、面とり部で構成される電磁リレー。
【請求項３】
請求項１又は請求項２に記載の電磁リレーであって、前記接極子の前記傾斜面は、前記接極子を前記第１の圧接点近傍で曲げ加工することで形成された電磁リレー。
【請求項４】
請求項１乃至請求項３のいずれか一項に記載の電磁リレーであって、前記カードは、支軸と、前記支軸上の一点から前記第１の圧接点に向けて前記支軸に対して垂直な方向に伸張する第１の枝部と、前記支軸上の他の一点から前記第２の圧接点に向けて前記支軸に対して垂直な方向に伸張する第２の枝部とを具備する電磁リレー。
【請求項５】
請求項４に記載の電磁リレーであって、前記カードは、前記支軸の少なくとも一部を含み、それぞれ前記第１の圧接点及び前記第２の圧接点を結ぶ第１及び第２の梁部を備えた電磁リレー。
【発明の詳細な説明】
【技術分野】
【０００１】
本発明は、電磁リレーに係り、特に絶縁性部材にて形成されたベースに、電磁石部、接極子、カード、可動端子及び固定端子が並列に設けられた電磁リレーに関する。
【背景技術】
【０００２】
上述した電磁リレーとして、例えば特許文献１に記載されたものが知られている。図８は、従来の電磁リレーに示す側面図である。同図に示すように、電磁リレー１０は、樹脂等の絶縁性部材にて方形状に形成されたベース２０に、電磁石部２１、接極子２２、カード２３、可動端子２４及び固定端子２５が並列に設けられたものである。電磁石部２１は、ヨーク２１ａと、ヨーク２１ａに固定したコイル２１ｂとから構成される。電磁石部２１に通電することで電磁力を発生し、接極子２２を吸着する。
【０００３】
接極子２２は、略く字状に形成されており、中央部２２ａが電磁石部２１の上端のヨーク２１ａ側で支承されている。また、接極子２２は、図示せぬヒンジバネによって電磁石部２１に固定されている。図８は、電磁石部２１に通電を行っていないときの状態を示している。この状態では、接極子２２は、先端部２２ｂがカード２３に接触した状態で停止しているが、電磁石部２１に通電が行われると、基端部２２ｃが電磁石部２１に吸着されるので中央部２２ａを中心に回動する。電磁石部２１への通電が行われなくなると、接極子２２はヒンジバネによって元の状態に戻る。すなわち、接極子２２の先端部２２ｂがカード２３に接触した状態に戻る。
【０００４】
カード２３は、支軸２３ｂと、第１の枝部２３ｄと、第２の枝部２３ｆとから構成される。支軸２３ｂは、ベース２０に回動自在に支承された下端部２３ａから伸張する部分である、第１の枝部２３ｄは、支軸２３ｂ上の一点から接極子２２に接触する第１の圧接点２３ｃに向けて支軸２３ｂに対して垂直な方向に伸張する部分である。第２の枝部２３ｆは、支軸２３ｂ上の他の一点から可動端子２４に接触する第２の圧接点２３ｅに向けて支軸２３ｂに対して垂直な方向に伸張する部分である。カード２３は、ベース２０の軸受け部２０ａで接極子２２及び可動端子２４の方向へ回動自在に支承されており、接極子２２の回動に連動して回動し、可動端子２４の可動接点２４ａを固定端子２５の固定接点２５ａに接触させる。
【先行技術文献】
【特許文献】
【０００５】
【特許文献１】実開平６−０１９２５０号公報
【発明の概要】
【発明が解決しようとする課題】
【０００６】
上述した従来の電磁リレー１０は、カード２３の可動端子２４を押す第２の圧接点２３ｅが、接極子２２と接触する第１の圧接点２３ｃよりも上方にあり、カード２３が下端を中心に回動して可動端子２４の可動接点２４ａと固定端子２５の固定接点２５ａをオン・オフするようにしている。しかしながら、このような構造では次のような課題が生ずる。すなわち、接極子２２とカード２３が回動したときに、図８中の矢印Ａで示すように、上方に力が逃げてカード２３が可動端子２４を水平に押すことができないため、可動端子２４の可動接点２４ａと固定端子２５の固定接点２５ａとが全面で均一に接触しない。
【０００７】
本発明は前記実情に鑑みてなされたものであり、接極子がカードを略水平に押すことができて、可動端子の可動接点と固定端子の固定接点とを略全面で接触させることができる電磁リレーを提供することを目的とする。
【課題を解決するための手段】
【０００８】
本発明の電磁リレーは、絶縁性部材で形成されたベースに立設され、可動接点を有する可動端子と、固定接点を有し、該固定接点が前記可動端子の可動接点と対向させて前記ベースに立設された固定端子と、前記可動端子から離間し、前記ベースに立設された電磁石部と、前記電磁石部の先端に支点を有し、前記電磁石部に通電することで回動する接極子と、前記可動端子と前記接極子との間に位置し、前記ベースにて前記接極子及び前記可動端子の方向に回動自在に支承され、前記接極子と接触する第１の圧接点を有するとともに、前記第１の圧接点から離間した位置で前記可動端子と接触する第２の圧接点を有するカードと、を具備する電磁リレーであって、前記カードと前記接極子の当接面のうち少なくとも一方が、他方から離間する方向に傾斜した傾斜面を有する。
【０００９】
また、上記電磁リレーにおいて、前記傾斜面は、面とり部で構成される。
【００１０】
また、上記電磁リレーにおいて、前記接極子の前記傾斜面は、前記接極子を前記第１の圧接点近傍で曲げ加工することで形成される。
【００１１】
また、上記電磁リレーにおいて、前記カードは、支軸と、前記支軸上の一点から前記第１の圧接点に向けて前記支軸に対して垂直な方向に伸張する第１の枝部と、前記支軸上の他の一点から前記第２の圧接点に向けて前記支軸に対して垂直な方向に伸張する第２の枝部とを具備する。
【００１２】
また、上記電磁リレーにおいて、前記カードは、前記支軸の少なくとも一部を含みそれぞれ前記支点から前記第１の圧接点及び前記第２の圧接点を結ぶ第１及び第２の梁部を備える。
【発明の効果】
【００１３】
本発明は、ベースに対してカードを接極子及び可動端子の方向に回動自在でかつ水平方向に僅かに前後可能に支承するとともに、接極子とカードとの当接面のうち少なくとも一方に、他方から離間する方向に傾斜させた傾斜面を設けたので、接極子がカードを略水平に押すことができ、可動端子の可動接点と固定端子の固定接点を略全面で接触させることができる。
【図面の簡単な説明】
【００１４】
【図１】本発明の一実施の形態に係る電磁リレーを示す側面図
【図２】図１の電磁リレーのカードを示す図であり、（ａ）は左側面図、（ｂ）は右側面図
【図３】図１の電磁リレーのベースのカード支承部を上から見た図
【図４】図１の電磁リレーのカードを示す側面図
【図５】図１の電磁リレーの接極子とカードとの接触箇所を示す図
【図６】図１の電磁リレーにおいて、接極子側に面取りを行った場合の接極子とカードとの接触箇所を示す図
【図７】図１の電磁リレーにおいて、接極子の先端部を曲げ加工して傾斜面を形成した場合の接極子とカードとの接触箇所を示す図
【図８】従来の電磁リレーを示す側面図
【図９】従来の電磁リレーのカードの変形した状態を示す説明図、（ａ）は初期状態を示す図、（ｂ）は動作時を示す図
【発明を実施するための形態】
【００１５】
以下、本発明を実施するための好適な実施の形態について、図面を参照して詳細に説明する。
【００１６】
図１は、本発明の一実施の形態に係る電磁リレーを示す側面図である。なお、図１において前述した図８と共通する部分には同一の符号を付けている。
【００１７】
図１において、本実施の形態の電磁リレー１は、電磁石部２１と、接極子２２と、ベース２と、カード３と、可動端子２４と、固定端子２５とを備える。カード３とベース２以外の電磁石部２１、接極子２２、可動端子２４及び固定端子２５の各部材は、前述した図８の従来の電磁リレー１０の各部材と同一のものであるので、説明を省略する。
【００１８】
ベース２は、従来の電磁リレー１０のベース２０と同様に樹脂等の絶縁性部材にて方形状に形成されている。このベース２に、電磁石部２１、カード３、可動端子２４及び固定端子２５が並列に立設される。特に、ベース２のカード３を支承するカード支承部２ａは、カード３の下端部（支点）３ａを回動自在でかつ水平方向に前後移動可能とする両端円弧状の長方形空間として形成されている。カード３の詳細は後述するが、図２に示すように、カード３の下端部３ａが２分割され、それぞれ水平方向に靴底状に突出したキック部をなすように形成されている。図２（ａ）は左側面図、図２（ｂ）は右側面図である。この下端部３ａがベース２のカード支承部２ａに収容される。望ましくはカード支承部２ａも、小突起２ｂを有し、カード下端部３ａの中心を支承するようにしてもよい。
【００１９】
図３は、ベース２のカード支承部２ａを上から見た図である。カード３の下端部３ａは、カード支承部２ａで回動自在でかつ水平方向（矢印Ｂ、Ｃで示す方向）に前後移動可能に支承される。カード支承部２ａの水平方向の長さＬ１が、可動端子２４の可動接点２４ａと固定端子２５の固定接点２５ａ間の距離を超える大きさとなっており、カード３の水平方向の移動距離を可動接点２４ａと固定接点２５ａ間の距離以上となるようにしている。
【００２０】
カード３は、ベース２上の接極子２２と可動端子２４との間に位置し、ベース２にて接極子２２及び可動端子２４の方向へ回動自在に支承される。図４は、カード３の概観を示す図である。同図において、カード３は、前述した下端部３ａから伸張する支軸３ｂの他に、第１の枝部３ｄと、第２の枝部３ｆと、梁部３ｇ及び梁部３ｈとを備える。第１の枝部３ｄは、支軸３ｂ上の一点から第１の圧接点３ｃに向けて支軸３ｂに対して垂直方向に伸張されたものである。第２の枝部３ｆは、支軸３ｂ上の他の一点から第２の圧接点３ｅに向けて支軸３ｂに対して垂直方向に伸張されたものである。梁部３ｇは、支軸３ｂを含み下端部３ａから第１の圧接点３ｃを結ぶ三角形状を成すものである。梁部３ｈは、支軸３ｂを含み下端部３ａから第２の圧接点３ｅを結ぶ三角形状を成すものである。本実施の形態の電磁リレー１のカード３は、図８に示す従来の電磁リレー１０のカード２３と比べて梁部３ｇ、３ｈを有している分、機械的強度が大きく、撓み難くなっている。ちなみに、この梁部３ｇ、３ｈがない従来の場合すなわち、図９（ａ）に示すように形成した場合、動作時に、図９（ｂ）に示すように撓みが生じ、接点位置がずれ、良好なオン・オフ動作ができなくなることがある。
【００２１】
カード３の第１の枝部３ｄの先端が面取りされている。図５は、接極子２２とカード３との接触箇所を示す図である。同図に示すように、カード３の第１の枝部３ｄの接極子２２と接触する当接面３ｉには、接極子２２から離間する方向に面取りされている。カード３の第１の枝部３ｄの先端を面取りしたことと、カード３をベース２に対して回動自在でかつ水平方向に前後移動を可能にしたことにより、接極子２２が略水平にカード３を押すことができる。またこのとき、梁部３ｇ、３ｈで補強されたカード３が容易に撓むことがないので、接極子２２はカード３を確実に押すことができる。カード２を略水平に押すことで、可動端子２４の可動接点２４ａと固定端子２５の固定接点２５ａを略全面で接触させることができる。
【００２２】
このように、本実施の形態の電磁リレー１によれば、カード３をベース２に対して回動自在でかつ水平方向に前後移動可能に支承するとともに、カード３の第１の枝部３ｄの先端の接極子２２と接触する当接面３ｉに対し、接極子２２から離間する方向に面取りしたので、接極子２２が略水平にカード３を押すことができ、可動端子２４の可動接点２４ａと固定端子２５の固定接点２５ａを略全面で接触させることができる。
【００２３】
なお、本実施の形態の電磁リレー１では、カード３側に面取りを行ったが、接極子２２側に面取りを行うようにしてもよいし、カード３と接極子２２の双方で行ってもよい。
【００２４】
図６は、接極子２２側に面取りを行った場合の接極子２２とカード３との接触箇所を示す図である。同図に示すように、接極子２２のカード３の第１の枝部３ｄと接触する当接面２２ｄには、カード３の第１の枝部３ｄから離間する方向に面取りされている。接極子２２側に面取りを行っても接極子２２が略水平にカード３を押すことができる。
【００２５】
また、面取りを行う以外に、例えば接極子２２の先端部２２ｂを曲げ加工して傾斜面を形成することも可能である。図７は、接極子２２の先端部２２ｂを曲げ加工して傾斜面を形成した場合の接極子２２とカード３との接触箇所を示す図である。同図に示す例では、接極子２２の先端部２２ｂをカード３の第１の圧接点３ｃ近傍で曲げ加工して傾斜面２２ｅを形成したものである。一般的に接極子２２には金属が用いられることから、曲げ加工を容易に行うことができる。接極子２２の先端部２２ｂを曲げ加工して傾斜面２２ｅを形成しても接極子２２が略水平にカード３を押すことができ、可動端子２４の可動接点２４ａと固定端子２５の固定接点２５ａを略全面で接触させることができる。傾斜面２２ｅは面とり部２２ｆで構成される。
なお、第１及び第２の梁部は、支軸を含む面であってもよいし、支軸の少なくとも一部を含み、それぞれ第１及び第２の圧接点に向けて伸張する線状部材であってもよい。
【符号の説明】
【００２６】
１  電磁リレー
２  ベース
２ａ  カード支承部
３  カード
３ａ  下端部
３ｂ  支軸
３ｃ  第１の圧接点
３ｄ  第１の枝部
３ｅ  第２の圧接点
３ｆ  第２の枝部
３ｇ、３ｈ  梁部
３ｉ  当接面
２１  電磁石部
２１ａ  ヨーク
２１ｂ  コイル
２２  接極子
２２ａ  中央部
２２ｂ  先端部
２２ｃ  基端部
２２ｄ  当接面
２２ｅ  傾斜面
２２ｆ  面取り部
２４  可動端子
２４ａ  可動接点
２５  固定端子
２５ａ  固定接点
【図１】
2012074136.tif 000003
【図２】
2012074136.tif 000004
【図３】
2012074136.tif 000005
【図４】
2012074136.tif 000006
【図５】
2012074136.tif 000007
【図６】
2012074136.tif 000008
【図７】
2012074136.tif 000009
【図８】
2012074136.tif 000010
【図９】
2012074136.tif 000011